【手続補正書】
【提出日】平成20年2月26日(2008.2.26)
【手続補正１】
【補正対象書類名】明細書
【補正対象項目名】特許請求の範囲
【補正方法】変更
【補正の内容】
【特許請求の範囲】
【請求項１】  遊技領域に発射される遊技媒体を用いて遊技者が所定の遊技を行うことが可能であり、遊技により払出条件が成立したことにもとづいて景品として景品遊技媒体を払い出す遊技機であって、
遊技の進行を制御する遊技制御手段と、
前記遊技媒体を前記遊技領域に向けて発射する発射手段と、
前記景品遊技媒体の払い出しを行う払出手段と、
前記払出手段を制御する払出制御手段とを備え、
前記遊技制御手段は、
前記払出条件の成立にもとづいて、景品遊技媒体の払出数を特定可能な払出指令信号を送信する払出指令信号送信手段と、
前記払出制御手段との間の信号の通信に関する異常を検出する通信異常検出手段とを含み、
前記払出制御手段は、
前記払出指令信号送信手段からの前記払出指令信号により特定された払出数の景品遊技媒体を、前記払出手段を制御して払い出させる払出処理を実行する景品遊技媒体払出制御手段と、
前記景品遊技媒体払出制御手段による払出処理に関わる信号を前記遊技制御手段に送信する信号送信手段とを含み、
前記通信異常検出手段が異常を検出すると前記発射手段の動作を停止させるための制御を行う発射停止手段を備えた
ことを特徴とする遊技機。
【請求項２】  払出制御手段における信号送信手段は、払出指令信号の受信に応じた払出処理の実行にもとづく信号を遊技制御手段に送信する機能を有し、
通信異常検出手段は、払出処理の実行にもとづく信号の状態を監視し、通信に関する異常を検出する
請求項１記載の遊技機。
【請求項３】  通信異常検出手段が異常を検出したとき、その旨を報知する報知手段を備えた
請求項１または請求項２記載の遊技機。
【請求項４】  遊技制御手段は、払出条件の成立にもとづいて払い出される景品遊技媒体の総数を特定可能な景品遊技媒体数データを記憶する景品遊技媒体数記憶手段と、払出指令信号送信手段が払出指令信号を送信した後に所定の条件が成立すると前記景品遊技媒体数データから前記払出指令信号で特定された払出数に対応する値を減算する減算処理を行う景品遊技媒体数データ減算手段とを含み、
前記景品遊技媒体数データ減算手段は、前記所定の条件としての払出処理に関わる信号の受信により前記減算処理を実行する
請求項１から請求項３のうちのいずれかに記載の遊技機。
【請求項５】  遊技機で用いられる所定の電源の状態を監視して、遊技機への電力の供給停止に関わる検出条件が成立したときに継続的に検出信号を出力する電源監視手段と、遊技機への電力供給が停止した場合に遊技状態を少なくとも所定期間保存するための変動データ記憶手段とを備え、
遊技制御手段は、前記電源監視手段からの検出信号の入力に応じて、制御状態を復旧させるために必要な情報を前記変動データ記憶手段に保存させるための処理である電力供給停止時処理を実行し、該電力供給停止時処理を実行した後に前記電源監視手段からの検出信号の状態を定期的に確認し、該検出信号の状態により電力が供給されている旨が確認されたときには、遊技の進行を制御する状態に戻る
請求項１から請求項４のうちのいずれかに記載の遊技機。
【請求項６】  電源監視手段は、遊技制御手段が設けられる遊技制御基板に搭載される
請求項５に記載の遊技機。
【手続補正２】
【補正対象書類名】明細書
【補正対象項目名】０００９
【補正方法】変更
【補正の内容】
【０００９】
【課題を解決するための手段】
本発明による遊技機は、遊技領域に発射される遊技媒体を用いて遊技者が所定の遊技を行うことが可能であり、遊技により払出条件が成立した（例えば遊技球が入賞領域に入賞した）ことにもとづいて景品として景品遊技媒体を払い出す遊技機であって、遊技の進行を制御する遊技制御手段（例えばＣＰＵ５６等）と、遊技媒体を遊技領域に向けて発射する発射手段（例えば発射モータ９４を含む打球発射装置）と、景品遊技媒体の払い出しを行う払出手段（例えば球払出装置９７）と、遊技制御手段から送信された制御信号の受信にもとづいて払出手段を制御する払出制御手段（例えば払出制御用ＣＰＵ３７１等）とを備え、遊技制御手段が、払出条件の成立にもとづいて、景品遊技媒体の払出数を特定可能な払出指令信号（例えば払出個数信号）を送信する払出指令信号送信手段（例えば遊技制御手段におけるステップＳ２３２の賞球送信処理を実行する部分）と、払出制御手段との間の信号の通信に関する異常を検出する通信異常検出手段（例えば遊技制御手段におけるステップＳ２４１，Ｓ２５６，Ｓ２６１，Ｓ２６８，Ｓ２６６，Ｓ２７１，Ｓ２７８を実行する部分）とを含み、払出制御手段が、払出指令信号送信手段からの払出指令信号により特定された払出数の景品遊技媒体を、払出手段を制御して払い出させる払出処理を実行する景品遊技媒体払出制御手段（例えば払出制御手段におけるステップＳ５４６およびステップＳ７５６の払出制御処理を実行する部分）と、景品遊技媒体払出制御手段による払出処理に関わる信号を遊技制御手段に送信する信号送信手段（例えば払出制御手段におけるステップＳ５４７を実行する部分）とを含み、通信異常検出手段が異常を検出すると発射手段の動作を停止させるための制御を行う発射停止手段（例えば遊技制御手段におけるステップＳ２４２，Ｓ２６９を実行する部分、払出制御手段におけるステップＳ５１２，Ｓ５１８を実行する部分）を備えたことを特徴とする。
【手続補正３】
【補正対象書類名】明細書
【補正対象項目名】００１２
【補正方法】変更
【補正の内容】
【００１２】
遊技制御手段が、払出条件の成立にもとづいて払い出される景品遊技媒体の総数を特定可能な景品遊技媒体数データを記憶する景品遊技媒体数記憶手段（例えばＲＡＭ５５における総賞球数格納バッファ）と、払出指令信号送信手段が払出指令信号を送信した後に所定の条件が成立すると景品遊技媒体数データから払出指令信号で特定された払出数に対応する値を減算する減算処理を行う景品遊技媒体数データ減算手段（例えば遊技制御手段におけるステップＳ２３３の賞球待ち処理２を実行する部分）とを含み、景品遊技媒体数データ減算手段が、所定の条件としての払出処理に関わる信号の受信（例えば払出ＢＵＳＹ信号がオン状態になったこと）により減算処理を実行するように構成されていてもよい。
【手続補正４】
【補正対象書類名】明細書
【補正対象項目名】０３０６
【補正方法】変更
【補正の内容】
【０３０６】
【発明の効果】
以上のように、請求項１記載の発明によれば、遊技機を、遊技制御手段が、払出条件の成立にもとづいて、景品遊技媒体の払出数を特定可能な払出指令信号を送信する払出指令信号送信手段と、払出制御手段との間の信号の通信に関する異常を検出する通信異常検出手段とを含み、払出制御手段が、払出指令信号送信手段からの払出指令信号により特定された払出数の景品遊技媒体を、払出手段を制御して払い出させる払出処理を実行する景品遊技媒体払出制御手段と、景品遊技媒体払出制御手段による払出処理に関わる信号を遊技制御手段に送信する信号送信手段とを含み、通信異常検出手段が異常を検出すると発射手段の動作を停止させるための制御を行う発射停止手段を備えた構成にしたので、正確な景品遊技媒体払い出しができない可能性がある場合には遊技を中断させて、正常な賞球払い出しができない状態であるにも関わらず遊技が続行されてしまうことを確実に防止できる効果がある。